(57)【要約】【課題】ログインが容易で情報セキュリティの高い個人データ管理装置、個人データ管理方法、プログラム、及び記録媒体を提供する。【解決手段】紛失もしくは盗難されたペン型入力装置３０の識別データを無効化すると共に他の識別データに置き換えることにより、紛失もしくは盗難されたペン型入力装置３０とＩＣタグ認識タブレット装置２０とが接触するだけで、ＩＣタグからのデータ、ペン型入力装置からのデータ、及びマスタデータ１２に基づいて自動的にログイン処理を行うので、ログインが容易となり、ペン型入力装置３０を紛失したり、盗難にあったりしても第三者に悪用されることがなくなり、情報セキュリティの向上を図ることができる。【選択図】図１
2007334669.tif 000002
【特許請求の範囲】
【請求項１】
ＩＣタグを内蔵したペン型入力装置と、
前記ペン型入力装置との接触により個人データが入出力されるＩＣタグ認識タブレット装置と、
前記ＩＣタグとの間で無線により識別データの授受を行う送受信手段と、
前記ＩＣタグ及び操作者に関する個人データを含むマスタデータを記憶する記憶手段と、
前記ＩＣタグからの識別データ、前記ＩＣタグ認識タブレット装置に入力された個人データ、及び前記マスタデータに基づいてログイン処理を行うコンピュータとを備えた個人データ管理装置であって、
前記コンピュータは、前記ペン型入力装置が紛失もしくは盗難された場合、前記識別データを無効化すると共に他の識別データに置き換えた後でログイン処理を行うようにしたことを特徴とする個人データ管理装置。
【請求項２】
ＩＣタグから識別データが入力され、前記ＩＣタグを内蔵したペン型入力装置との間で個人データが入出力されるＩＣタグ認識タブレット装置のログイン処理を行うデータ管理方法であって、
紛失もしくは盗難されたペン型入力装置と前記ＩＣタグ認識タブレット装置とが接触すると、前記ＩＣタグからの識別データを無効化すると共に他の識別データに置き換えた後でログイン処理を行うことを特徴とする個人データ管理方法。
【請求項３】
ＩＣタグから識別データが入力され、前記ＩＣタグを内蔵したペン型入力装置との間で個人データが入出力されるＩＣタグ認識タブレット装置のログイン処理を行う個人データ管理方法であって、
紛失もしくは盗難されたペン型入力装置と前記ＩＣタグ認識タブレット装置とが接触すると、送受信手段を待機状態にすると共に前記ＩＣタグを起動させて識別データを送信させる処理、
前記ＩＣタグからの識別データを受信する処理、
前記ＩＣタグ及び操作者に関するデータを含むマスタデータを検索する処理、
前記マスタデータ内にて前記ＩＣタグに関するデータを無効化すると共に他の識別データに置き換えた後で操作者に関するデータと一致すると前記操作者をログイン者であると認定する処理、
及びログイン処理を行うことを特徴とする個人データ管理方法。
【請求項４】
ＩＣタグからの識別データが入力され、前記ＩＣタグを内蔵したペン型入力装置との間で個人データが入出力されるＩＣタグ認識タブレット装置のログイン処理をコンピュータに実行させるプログラムであって、
前記コンピュータに、紛失もしくは盗難されたペン型入力装置と前記ＩＣタグ認識タブレット装置との接触があると、前記ＩＣタグからの識別データを無効化すると共に他の識別データに置き換えた後  でログイン処理を実行させることを特徴とするプログラム。
【請求項５】
ＩＣタグからのデータと前記ＩＣタグを内蔵したペン型入力装置からのデータとが入力されるＩＣタグ認識タブレット装置のログイン処理をコンピュータに実行させるプログラムであって、
前記コンピュータに、紛失もしくは盗難されたペン型入力装置と前記ＩＣタグ認識タブレット装置との接触があると、送信手段を待機状態にすると共に前記ＩＣタグを起動させて識別データを送信させる処理、
前記ＩＣタグからの識別データを受信する処理、
前記ＩＣタグ及び操作者に関するデータを含むマスタデータを検索する処理、
前記マスタデータ内にて前記ＩＣタグに関するデータを無効化すると共に他の識別データに置き換えた後で操作者に関するデータが一致すると前記操作者をログイン者であると認定する処理、
及びログイン処理を実行させることを特徴とするプログラム。
【請求項６】
請求項４または５に記載のプログラムを記録したことを特徴とする記録媒体。
【発明の詳細な説明】
【技術分野】
【０００１】
本発明は、個人データ管理装置、個人データ管理方法、プログラム、及び記録媒体に関する。
【背景技術】
【０００２】
近年、個人情報保護法の施行により、銀行預金者、自動車購入者、入院患者等の個人データの管理が重要視されている。この種の個人データを管理するシステムの一種に電子カルテシステムがある（例えば特許文献１〜４参照）。
【特許文献１】特開２００２−００８０３９号公報
【特許文献２】特開２００５−２１０３１０号公報
【特許文献３】特開２００６−０１８４３３号公報
【特許文献４】特開２００６−０８５４５１号公報
【発明の開示】
【発明が解決しようとする課題】
【０００３】
ところで、従来のシステムではログインを行う際、または、ログイン者変更を行う際に、ログイン者ＩＤとパスワードとを入力して、キーボード装置より入力する必要があり、操作者にとっては面倒であった。
【０００４】
また、従来の電子カルテシステムでは、ペン型入力装置が紛失したり盗難に遭ったりした場合、第三者による不正使用を防止することが困難であった等の問題が発生していた。
【０００５】
そこで、本発明の目的は、ログインが容易で情報セキュリティの高い個人データ管理装置、個人データ管理方法、プログラム、及び記録媒体を提供することにある。
【課題を解決するための手段】
【０００６】
上記課題を解決するため、請求項１記載の発明は、ＩＣタグを内蔵したペン型入力装置と、前記ペン型入力装置との接触により個人データが入出力されるＩＣタグ認識タブレット装置と、前記ＩＣタグとの間で無線により識別データの授受を行う送受信手段と、前記ＩＣタグ及び操作者に関する個人データを含むマスタデータを記憶する記憶手段と、前記ＩＣタグからの識別データ、前記ＩＣタグ認識タブレット装置に入力された個人データ、及び前記マスタデータに基づいてログイン処理を行うコンピュータとを備えた個人データ管理装置であって、前記コンピュータは、前記ペン型入力装置が紛失もしくは盗難された場合、前記識別データを無効化すると共に他の識別データに置き換えた後でログイン処理を行うようにしたことを特徴とする。
【０００７】
請求項２記載の発明は、ＩＣタグから識別データが入力され、前記ＩＣタグを内蔵したペン型入力装置との間で個人データが入出力されるＩＣタグ認識タブレット装置のログイン処理を行うデータ管理方法であって、紛失もしくは盗難されたペン型入力装置と前記ＩＣタグ認識タブレット装置とが接触すると、前記ＩＣタグからの識別データを無効化すると共に他の識別データに置き換えた後でログイン処理を行うことを特徴とする。
【０００８】
請求項３記載の発明は、ＩＣタグから識別データが入力され、前記ＩＣタグを内蔵したペン型入力装置との間で個人データが入出力されるＩＣタグ認識タブレット装置のログイン処理を行う個人データ管理方法であって、紛失もしくは盗難されたペン型入力装置と前記ＩＣタグ認識タブレット装置とが接触すると、送受信手段を待機状態にすると共に前記ＩＣタグを起動させて識別データを送信させる処理、前記ＩＣタグからの識別データを受信する処理、前記ＩＣタグ及び操作者に関するデータを含むマスタデータを検索する処理、前記マスタデータ内にて前記ＩＣタグに関するデータを無効化すると共に他の識別データに置き換えた後で操作者に関するデータと一致すると前記操作者をログイン者であると認定する処理、及びログイン処理を行うことを特徴とする。
【０００９】
請求項４記載の発明は、ＩＣタグからの識別データが入力され、前記ＩＣタグを内蔵したペン型入力装置との間で個人データが入出力されるＩＣタグ認識タブレット装置のログイン処理をコンピュータに実行させるプログラムであって、前記コンピュータに、紛失もしくは盗難されたペン型入力装置と前記ＩＣタグ認識タブレット装置との接触があると、前記ＩＣタグからの識別データを無効化すると共に他の識別データに置き換えた後でログイン処理を実行させることを特徴とする。
【００１０】
請求項５記載の発明は、ＩＣタグからのデータと前記ＩＣタグを内蔵したペン型入力装置からのデータとが入力されるＩＣタグ認識タブレット装置のログイン処理をコンピュータに実行させるプログラムであって、前記コンピュータに、紛失もしくは盗難されたペン型入力装置と前記ＩＣタグ認識タブレット装置との接触があると、送信手段を待機状態にすると共に前記ＩＣタグを起動させて識別データを送信させる処理、  前記ＩＣタグからの識別データを受信する処理、前記ＩＣタグ及び操作者に関するデータを含むマスタデータを検索する処理、前記マスタデータ内にて前記ＩＣタグに関するデータを無効化すると共に他の識別データに置き換えた後で操作者に関するデータが一致すると前記操作者をログイン者であると認定する処理、及びログイン処理を実行させることを特徴とする。
【００１１】
請求項６記載の発明は、請求項４または５に記載のプログラムを記録した記録媒体であることを特徴とする。
【発明の効果】
【００１２】
本発明によれば、紛失もしくは盗難されたペン型入力装置の識別データを無効化すると共に他の識別データに置き換えることにより、紛失もしくは盗難されたペン型入力装置とＩＣタグ認識タブレット装置とが接触するだけで、ＩＣタグからのデータ、ペン型入力装置からのデータ、及びマスタデータに基づいて自動的にログイン処理を行うので、ログインが容易となり、ペン型入力装置を紛失したり、盗難にあったりしても第三者に悪用されることがなくなり、情報セキュリティの向上を図ることができる。
【発明を実施するための最良の形態】
【００１３】
本発明に係る個人データ管理装置の一実施の形態は、ＩＣタグを内蔵したペン型入力装置と、ペン型入力装置との接触により個人データが入出力されるＩＣタグ認識タブレット装置と、ＩＣタグとの間で無線により識別データの授受を行う送受信手段と、ＩＣタグ及び操作者に関する個人データを含むマスタデータを記憶する記憶手段と、ＩＣタグからの識別データ、ＩＣタグ認識タブレット装置に入力された個人データ、及びマスタデータに基づいてログイン処理を行うコンピュータとを備えた個人データ管理装置であって、コンピュータは、ペン型入力装置が紛失もしくは盗難された場合、識別データを無効化すると共に他の識別データに置き換えた後でログイン処理を行うようにしたことを特徴とする。
【００１４】
上記構成によれば、コンピュータに対するログイン操作が簡便化される。
その理由は、従来のような操作者コード及びパスワードをキーボードにより入力する必要がなく、ペン型入力装置をＩＣタグ認識タブレット装置に接触させるだけでログイン操作が完了するからである。
【００１５】
また、上記構成によれば、コンピュータに対するセキュリティ面での向上を図ることができる。
その理由は、従来のような操作者コード及びパスワードの管理では、パスワードの盗難が考えられることがあり、また、盗難された状況は証拠が残らない。ペン型入力装置によるログインの場合、本人所持のペン型入力装置が存在しない限りログインは不可能であり、また、紛失時には、コンピュータのマスタデータの操作によりログインを無効化することができるからである。
すなわち、コンピュータにより、ペン型入力装置が紛失もしくは盗難された場合、識別データを無効化すると共に他の識別データに置き換えた後でログイン処理を行うようにしたためである。
【００１６】
記憶手段としては、例えばHDD（ハードディスクドライバー）が挙げられる。
【００１７】
本発明に係るデータ管理方法の一実施の形態は、ＩＣタグから識別データが入力され、ＩＣタグを内蔵したペン型入力装置との間で個人データが入出力されるＩＣタグ認識タブレット装置のログイン処理を行うデータ管理方法であって、紛失もしくは盗難されたペン型入力装置とＩＣタグ認識タブレット装置とが接触すると、ＩＣタグからの識別データを無効化すると共に他の識別データに置き換えた後でログイン処理を行うことを特徴とする。
【００１８】
上記構成によれば、コンピュータに対するログイン操作が簡便化されるだけでなく、コンピュータに対するセキュリティ面での向上を図ることができる。
【００１９】
本発明に係る個人データ管理方法の他の実施の形態は、ＩＣタグから識別データが入力され、ＩＣタグを内蔵したペン型入力装置との間で個人データが入出力されるＩＣタグ認識タブレット装置のログイン処理を行う個人データ管理方法であって、紛失もしくは盗難されたペン型入力装置とＩＣタグ認識タブレット装置とが接触すると、送受信手段を待機状態にすると共にＩＣタグを起動させて識別データを送信させる処理、ＩＣタグからの識別データを受信する処理、ＩＣタグ及び操作者に関するデータを含むマスタデータを検索する処理、マスタデータ内にてＩＣタグに関するデータを無効化すると共に他の識別データに置き換えた後で操作者に関するデータと一致すると操作者をログイン者であると認定する処理、及びログイン処理を行うことを特徴とする。
【００２０】
上記構成によれば、コンピュータに対するログイン操作が簡便化され、コンピュータに対するセキュリティ面での向上を図ることができる。
【００２１】
本発明に係るプログラムの一実施の形態は、ＩＣタグからの識別データが入力され、ＩＣタグを内蔵したペン型入力装置との間で個人データが入出力されるＩＣタグ認識タブレット装置のログイン処理をコンピュータに実行させるプログラムであって、コンピュータに、紛失もしくは盗難されたペン型入力装置とＩＣタグ認識タブレット装置との接触があると、ＩＣタグからの識別データを無効化すると共に他の識別データに置き換えた後でログイン処理を実行させることを特徴とする。
【００２２】
上記構成によれば、コンピュータに対するログイン操作が簡便化されるだけでなく、コンピュータに対するセキュリティ面での向上を図ることができる。
【００２３】
本発明に係るプログラムの他の実施の形態は、ＩＣタグからのデータとＩＣタグを内蔵したペン型入力装置からのデータとが入力されるＩＣタグ認識タブレット装置のログイン処理をコンピュータに実行させるプログラムであって、コンピュータに、紛失もしくは盗難されたペン型入力装置とＩＣタグ認識タブレット装置との接触があると、送信手段を待機状態にすると共にＩＣタグを起動させて識別データを送信させる処理、ＩＣタグからの識別データを受信する処理、記ＩＣタグ及び操作者に関するデータを含むマスタデータを検索する処理、マスタデータ内にて前記ＩＣタグに関するデータを無効化すると共に他の識別データに置き換えた後で操作者に関するデータが一致すると操作者をログイン者であると認定する処理、及びログイン処理を実行させることを特徴とする。
【００２４】
上記構成によれば、コンピュータに対するログイン操作が簡便化されるだけでなく、コンピュータに対するセキュリティ面での向上を図ることができる。
【００２５】
本発明に係る記録媒体の一実施の形態は、上記いずれかのプログラムを記録したことを特徴とする。
【００２６】
上記記録媒体を用いることにより、コンピュータに対するログイン操作が簡便化され、コンピュータに対するセキュリティ面での向上を図ることができる。
【００２７】
＜プログラム及び記録媒体＞
以上で説明した本発明に係る個人データ管理装置は、コンピュータでデータ管理処理を実行させるプログラムによって実現されている。コンピュータとしては、例えばパーソナルコンピュータやワークステーションなどの汎用的なものが挙げられるが、本発明はこれに限定されるものではない。
【００２８】
これにより、プログラムが実行可能なコンピュータ環境さえあれば、どこにおいても本発明のデータ管理装置を実現することができる。
このようなプログラムは、コンピュータに読み取り可能な記録媒体に記憶されていてもよい。
【００２９】
ここで、記録媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記録媒体、ＨＤＤ（Hard Disc Driver）、フラッシュメモリ、ＲＡＭ（Random Access Memory）、ＲＯＭ（Read Only Memory）、ＦｅＲＡＭ（強誘電体メモリ）等の半導体メモリが挙げられる。
【００３０】
なお、上述した実施の形態は、本発明の好適な実施の形態の一例を示すものであり、本発明はそれに限定されることなく、その要旨を逸脱しない範囲内において、種々変形実施が可能である。
【実施例】
【００３１】
図１は、本発明に係る個人データ管理装置の一実施例を示す構成図である。
図１に示す個人データ管理装置は、コンピュータ１０と、ＩＣタグ認識タブレット装置２０と、送受信手段としての送受信回路２１と、ペン型入力装置としてのＩＣタグ内蔵ペン３０とで構成されている。
【００３２】
コンピュータ１０は、ログイン要求を処理するログイン処理プログラム１１と、ログイン情報を構成する、ＩＣタグ情報とログイン者ＩＤとの関連付けを保持するマスタデータ１２とで構成されている。
【００３３】
ＩＣタグ認識タブレット２０は、コンピュータ１０と接続されたディスプレイ装置である。
【００３４】
ＩＣタグ内蔵ペン３０は、それぞれの操作者が保持するペン型入力装置に一意ＩＤ（識別データ）を持たせたＩＣタグ３１が内蔵されたペンであり、ＩＣタグ認識タブレット装置２０を通じて、操作情報をコンピュータ１０へ送信する機能をもっている。
【００３５】
ＩＣタグ内蔵ペン３０に内蔵された情報は、ＩＣタグ認識タブレット装置２０を通じて、コンピュータ１０への送信が行われるため、コンピュータ１０でのログイン処理プログラム１１では、操作情報を利用して操作者情報の限定を行うことができ、操作者に対して簡易なログイン処理とセキュリティとを提供することができる。
【００３６】
〔動作の説明〕
次に、図１及び図２を参照して実施例の動作について詳細に説明する。
図２は、図１に示した個人データ管理装置の動作を説明するためのフローチャートである。
図２において、まず、コンピュータ１０（図１参照）は、紛失もしくは盗難されたＩＣタグ内蔵ペンの識別データの無効化及び他の識別データへの置き換えを行う（ステップＳ２００）。
次に、ＩＣタグ認識タブレット装置２０と（図１参照）ＩＣタグ内蔵ペン３０（図１参照）との接触があったか否かを判断し（ステップＳ２０１）、接触がないと判断した場合（ステップＳ２０１／ＮＯ）は待機し、接触があったと判断した場合（ステップＳ２０１／ＹＥＳ）は次のステップＳ２０２へ進む。
【００３７】
コンピュータ１０（図１参照）は、ＩＣタグ認識タブレット装置２０（図１参照）に接続された送受信回路２１（図１参照）にデータを受信状態にして待機させる（ステップＳ２０２）。
コンピュータ１０は、送受信回路２１（図１参照）は、ＩＣタグ３１（図１参照）のデータ（ＩＣタグ情報：操作者名、ＩＤ等の識別データ）をＩＣタグ３１（図１参照）から受信すると、識別データをＩＣタグ認識タブレット装置２０（図１参照）に送信させる（ステップＳ２０３）。
すなわち、ＩＣタグ認識タブレット装置２０（図１参照）は、ＩＣタグ内蔵ペン３０（図１参照）からのＩＣタグ情報（識別データ）をコンピュータ１０（図１参照）に送信する（ステップＳ２０４）。
この情報を受けたコンピュータシステム１０（図１参照）は、ログイン処理プログラムがこの情報を受け、マスタデータ１２（図１参照）との突合処理を行うため、ＩＣタグ情報に関連付けられた操作者情報を検索する（ステップＳ２０５）。
【００３８】
コンピュータ１０（図１参照）は、ＩＣタグ３１（図１参照）に関するデータと操作者に関するデータとが一致するか否かを判断し（ステップＳ２０６）、一致した場合（ステップＳ２０６／ＹＥＳ）、操作者をログイン者であると認定する（ステップＳ２０７）。
【００３９】
コンピュータ１０（図１参照）は、認定後ログインを開始する。このことにより操作者は、簡易な操作によって、ログイン操作を完了させることができる（ステップＳ２０８）。
操作者は、所定のデータ入出力を行い（ステップＳ２０９）、ログイン終了手続を行う（例えば、ＩＣタグ認識タブレット装置２０（図１参照）のログイン終了の領域にＩＣタグ内蔵ペン３０（図１参照）を押す）とログインが終了される（ステップＳ２１０）。
ステップＳ２０６でＩＣタグに関するデータと操作者に関するデータとが一致しない場合（ステップＳ２０６／ＮＯ）は終了する。このため、他のＩＣタグ内蔵ペンの所有者が操作を使用としても不可能である。
【００４０】
尚、ログイン終了手続については、ログイン中に送受信回路２１がＩＣタグ内蔵ペン３０との間で一定間隔毎（例えば、１秒毎）にデータの授受を行い、操作者がＩＣタグ内蔵ペンごとＩＣタグ認識タブレット装置２０から離席すると、送受信回路２１がＩＣタグ内蔵ペン３０との間でデータの授受が途絶えることにより操作書の離席を検知し、自動的にログイン終了処理を行うように構成してもよい。
【００４１】
〔効果の説明〕
第一の効果は、コンピュータシステムに対するログイン操作が簡便化されることである。
その理由は、従来のような操作者コード及びパスワードをキーボードより入力する必要がなく、ＩＣタグ内蔵ペンをＩＣタグ認識タブレット装置に接触させるだけでログイン操作が完了するからである。
【００４２】
第二の効果は、コンピュータに対するセキュリティ面での向上である。
その理由は、従来のような操作者コード及びパスワードの管理では、パスワードの盗難が考えられることがあり、また、盗難された状況は証拠が残らない。ＩＣタグ内蔵ペンによるログインの場合、本人所持のＩＣタグ内蔵ペンが存在しない限りログインは不可能であり、また、紛失時には、マスタデータの操作によりログインを無効化することができるからである。すなわち、コンピュータにより、ペン型入力装置が紛失もしくは盗難された場合、識別データを無効化すると共に他の識別データに置き換えた後でログイン処理を行うようにしたためである。
【産業上の利用可能性】
【００４３】
本発明は、病院の電子カルテ、銀行、自動車販売会社等の顧客管理簿等に利用できる。
【図面の簡単な説明】
【００４４】
【図１】本発明に係る個人データ管理装置の一実施例を示す構成図である。
【図２】図１に示した個人データ管理装置の動作を説明するためのフローチャートである。
【符号の説明】
【００４５】
１０    コンピュータ
１１    ログイン処理プログラム
１２    マスタデータ
２０    ＩＣタグ認識タブレット装置
３０    ＩＣタグ内蔵ペン
３１    ＩＣタグ
【図１】
2007334669.tif 000003
【図２】
2007334669.tif 000004